(57)【要約】    つま先部分（２）、およびかかと部分（３）を有する靴（１）。かかと部分（３）は、つま先部分（２）から全体的にまたは部分的に分離可能である。少なくとも部分的に分離された後、この靴は、着用者が靴を履きまたは脱ぐために自分の足を曲げ、または足に圧力を加えることなく、容易に着脱することができる。靴が部分的に分離される実施形態では、かかと部分（３）は、つま先部分（２）に対して横向きにまたは下向きのいずれかに回転させることができる。分離可能な固定手段（４）は、ジッパー、Ｖｅｌｃｒｏ（商標）または他の固定手段を組み込むことができる。
2009516535.tif 000002
【特許請求の範囲】
【請求項１】
つま先部分およびかかと部分を有する靴であって、該かかと部分が該つま先部分から少なくとも部分的に分離可能であることを特徴とする靴。
【請求項２】
前記かかと部分が前記つま先部分から完全に分離可能である、請求項１に記載の靴。
【請求項３】
前記かかと部分が前記靴の長手方向から実質的に垂直に延びる平面に対して交差する方向に回転させることができるように、前記つま先部分から部分的に分離される、請求項１に記載の靴。
【請求項４】
前記かかと部分が、前記靴の長手方向から実質的に水平に延びる平面に対して交差する方向に回転させることができるように、前記つま先部分から部分的に分離される、請求項１に記載の靴。
【請求項５】
前記かかと部分が、ジッパー、（Ｖｅｌｃｒｏ（商標）として知られる）マジックテープ式固定手段、タブ、オーバーレイ、スナップボタン、バックルおよび靴紐を含むがこれらに限定されない分離可能な固定具の任意の１つまたは組合せを用いて、前記つま先部分から少なくとも部分的に分離される、請求項１乃至４のいずれか１項に記載の靴。
【請求項６】
前記靴が、革、プラスチック、織物、ゴム、および合成材料を含むがこれらに限定されない材料の組合せの任意の一つから構成される、請求項１乃至５のいずれか１項に記載の靴。
【請求項７】
前記靴が、幼児、小児、身体障害者を含むがそのような人に限定されない用途の１つまたは組合せに使用される、請求項１乃至６のいずれか１項に記載の靴。
【請求項８】
前記靴が、アーチサポート、インソールサポートおよびアンクルサポートの任意の１つまたは組合せを含む、請求項１乃至７のいずれか１項に記載の靴。
【請求項９】
靴を着用者の足に装着する方法であって、該靴はつま先部分、かかと部分、および該つま先部分から該かかと部分を少なくとも部分的に分離させるための固定具を含み、該方法が、
該固定具を外す工程と、
該つま先部分に対して該靴のかかと部分を捻る工程と、
該着用者のつま先を該靴の該つま先部分内に滑り込ませる工程と、
該靴のかかと部分を該着用者のかかとの周りに戻す工程と、
該固定具を固定する工程とを含む方法。
【請求項１０】
前記捻る工程において、前記かかと部分が前記つま先部分に対して横向きまたは下向きのいずれかに、または両方向に捻られる、請求項９に記載の方法。
【請求項１１】
請求項９の工程が逆の順番で完了される、着用者の足から靴を脱がせる方法。
【発明の詳細な説明】
【技術分野】
【０００１】
本発明は履物に関し、詳細には、着用者の足に対して履物を容易に着脱することができるように、かかと部分（ｈｅｅｌ  ｓｅｃｔｉｏｎ）が少なくとも部分的につま先部分（ｔｏｅ  ｓｅｃｔｉｏｎ）から分離される、閉鎖式履物に関する。
【背景技術】
【０００２】
一般に履物（ｆｏｏｔｗｅａｒ）は、サンダル式または閉鎖式とされている。従来型のサンダル式の履物は通常、サンダルを使用者の足に対して保持するために、後方に取り付けられるストラップを有する。そのようなサンダル式の履物は、閉鎖式履物よりも容易に脱ぎ履きすることができる。
【０００３】
閉鎖式の履物は、履物の増加した高さおよびより小さな足用開口部を有し、そのようなスナッグフィット（ｓｎｕｇ  ｆｉｔ）により、足首およびかかとに対してより良好な支持をもたらす。しかしながら、閉鎖式の履物は一般に、着用者の足に装着されるとき、足用開口部が着用者の足より小さいことを特徴とする。着用者の足に対して履物を着脱させるために、固定具（ｆａｓｔｅｎｉｎｇ  ｄｅｖｉｃｅ）が必要とされ、閉鎖式の履物を装着または脱がせるときにその固定具を外す。そのような固定具は、より伝統的には靴紐またはバックルやジッパーであるが、今日では、（Ｖｅｌｃｒｏ（商標）として知られている）マジックテープ（登録商標）式固定手段を備えていることが多い。
【０００４】
このような閉鎖式履物を装着するためには、この固定具を外されなければならない。通常、最初につま先を履物内に向け足首を捻って（ｔｗｉｓｔ）履物内に足を導き、次いで、再びかかとを捻って足を向けた位置から戻して、かかとを履物のかかと部分内へ挿入する。この順序は、かかと部分と靴固有部分（靴の前方またはつま先部分）との間の角度を上手く処理するために必要である。つま先とかかとの両方が履物内に位置決めされた後で、固定手段を固定することができる。同様に、履物を脱ぐ場合はこの手順を逆に行う。
【０００５】
多くの人がこの作業を容易に行うことができるが、このような閉鎖式の履物を履いたり脱いだりするのに困難を伴う人々もいる。幼児、小児、体が不自由な人、すなわち身体障害者は、かかとを回転させること、つま先を向けること、および履物が適切に嵌合されるのを確実にするために、つま先およびかかと部分に適切な圧力を加えることができず、あるいはどのようにそれらを行うべきかを知らないため、このような作業を行うためには一般に助勢を必要とする。
【０００６】
したがって、履物の様々な部分を少なくとも部分的に分離させることができ、それによって着用者の足に通常の回転および力、すなわち圧力を加えることを必要としないで、より使い勝手よく着脱できるような、他の履物、すなわち改善された履物が求められている。
【発明の開示】
【発明が解決しようとする課題】
【０００７】
本発明は、上記した懸案を鑑みてなされたものである。
【課題を解決するための手段】
【０００８】
本発明は、従来型の閉鎖式履物の欠点を克服する履物を提供することを目的とする。
本明細書を通して、「靴（ｓｈｏｅ）」という語は、サンダル式ではない、閉鎖式のいかなる種類の履物も包含するものと解釈すべきである。すなわち、靴には、ブーツ、ランニングシューズおよび任意の同様な種類の履物が含まれると解釈すべきである。同様に、閉鎖式の履物という語が使用されるとき、このような履物は、つま先またはかかと全体を包み込まないで部分的に開放している場合もあり、履物から切り取られた穴、スリット等の模様を有する場合もあるが、サンダル式履物として分類されない履物を包含すると見なされるべきである。
【０００９】
１つの広い形態においては、本発明はつま先部分およびかかと部分を有する靴を提供し、かかと部分は少なくとも部分的につま先部分から分離可能である。
前記かかと部分が、前記つま先部分から全体的に分離可能であることが好ましい。
【００１０】
これに代えて、かかと部分が靴の長手方向から実質的に垂直に延びる平面に対して交差する方向（ｔｒａｎｓｖｅｒｓｅｌｙ）に回転できるように、かかと部分がつま先部分から部分的に分離されることが望ましい。
【００１１】
これに代えて、かかと部分が靴の長手方向から実質的に水平に延びる平面に対して交差する方向に回転できるように、かかと部分がつま先部分から部分的に分離されることが望ましい。
【００１２】
かかと部分は、ジッパー、Ｖｅｌｃｒｏ（マジックテープ式固定手段）、スナップボタン、バックルおよび靴紐を含むがこれらに限定されない分離可能な固定具の任意の１つまたは組合せを用いて、つま先部分から少なくとも部分的に分離されることが望ましい。
【００１３】
また、本発明の靴は、革、プラスチック、織物、ゴム、および合成材料を含むがこれらに限定されない材料の任意の１つの組合せから構成されることが望ましい。
また、本発明の靴は、幼児、小児、身体障害者に対して単独または組合せて使用されるが、そのような用途に限定されるものではない。
【００１４】
さらに、本発明の靴は、アーチサポート（ａｒｃｈ  ｓｕｐｐｏｒｔ）、インソールサポート（ｉｎｓｏｌｅ  ｓｕｐｐｏｒｔ）およびアンクルサポート（ａｎｋｌｅ  ｓｕｐｐｏｒｔ）のうちの任意の１つまたは組合せを含むことが望ましい。
他の広い形態において、本発明は靴を着用者の足に装着する方法を提供し、靴は、つま先部分、かかと部分、およびつま先部分からかかと部分を少なくとも部分的に分離させるための固定具を含み、この方法は、固定具を外す工程と、つま先部分に対して靴のかかと部分を回転させる工程と、着用者のつま先を靴のつま先部分内に滑り込ませる工程と、靴のかかと部分を着用者のかかとの周りに戻す工程と、固定具を固定する工程とを含む。
【００１５】
前記捻る工程において、かかと部分はつま先部分に対して横向きまたは下向きのいずれかに、または両方向に捻られることが望ましい。
さらに別の広い形態において、本発明は着用者の足から靴を脱がせる方法を提供し、本明細書で先に説明した工程を逆の順番により完了させる。
【発明を実施するための最良の形態】
【００１６】
本発明は、好適な実施形態に関して添付の図面を参照して説明される、以下の詳細な記述からより完全に理解されるであろう。しかしながら、本発明は、これらの好適な実施形態に限定されるものではない。
【００１７】
本発明による靴の第１の実施形態を図１〜６に示す。これらの図は、つま先部分２およびかかと部分３を有する符号１によって全体に表される靴を示す。図示されるように、つま先部分２は、この実施形態ではジッパー４として構成される固定手段を使用してかかと部分３に取り付けられている。図１は、靴の外側から見た取り付け位置、すなわちジッパー４が閉じられた状態の靴１を示しており、図２は同じ靴を内側から見た状態を示している。
【００１８】
図３、４および５に示すように、ジッパー４または他の固定手段を取り外すことによって、かかと部分３をつま先部分から部分的に分離させることができる。固定手段４を取り外すと、次いでかかと部分は、図３、４および５に示す位置に、靴の（取り付けられた位置での）長手方向から実質的に垂直に延びる平面から交差する方向に捻り、すなわち回転させることができる。かかと部分３がつま先部分２に対して回転した後、着用者の足を容易につま先部分２内に挿入でき、次いで、着用者の足の後ろを包囲するためにかかと部分３を再び回転させることができる。次に、かかと部分３をつま先部分２に対して再度取り付けるために、固定手段４または他のジッパーを留める。
【００１９】
本実施形態の靴は、幼児、小児、病人または身体障害者の足に困難なく容易に装着させることができ、ジッパー４を容易に留めることができる。これは全て、着用者が自分の足を従来型の閉鎖式の靴に挿入しなければならないときに通常行うような、着用者が身をかがめ、自分の足のつま先、足首または他の部分を捻りかつそれらに圧力を加えるといったことを必要としないで行うことができる。
【００２０】
当業者には、本明細書ですでに説明した実施形態に変更および修正を加えることができることが理解されるであろう。そのような変更および修正は、本明細書において説明する本発明の範囲内であると見なされるべきである。
【００２１】
例えば、代替実施形態が図７〜１０に示され、図８および９に最もよく示されているように、かかと部分３をつま先部分２に対して下向きに回転させることができる。この場合、かかと部分３はジッパー４を外すことによってつま先部分２から部分的に分離される。このかかと部分３は、図８および９に示す位置に、靴の長手方向から実質的に水平に延びる平面に対して交差する方向に回転する。図９は、この靴１が留められた後で、インソール５が必要な支持を依然として確実に提供しながら、この実施形態でインソール５がその位置をどのように維持するかを示す。図１〜６に示す実施形態と同様に、図７および１０の実施形態では、従来型の閉鎖式履物に対するように、着用者が身をかがめ、自分の足のつま先や足首または他の部分を捻りかつそれらに圧力を加えることを必要としないで、本明細書ですでに説明したように着用者の足に装着することができる。
【００２２】
図７〜９の実施形態は、ジッパーに加えて固定手段４の一部をなす固定タブ６も組み込んでいる。
さらに別の実施形態では、このかかと部分は、図１１〜１５に示すような、靴の中央部分の周囲全体に延びるジッパーを組み込むことによって、つま先部分から完全に分離させることもできる。
【００２３】
図１３では、履物を「完全に分離可能な」形態を最もよく示しており、図１３（ａ）がつま先部分２を、図１３（ｂ）がかかと部分３を示す。この図において、ジッパー４または他の固定具が履物の中央部分の周囲全体に延びることが明瞭に示されている。図１４および１５が履物のこの実施形態の詳細を示しており、図１４（ａ）が靴アッパーのつま先部分上のミッドソールの位置を示し、図１４（ｂ）が靴アッパーのかかと部分上のミッドソールの位置を示し、また、図１５（ａ）が靴のインソール構成部品を支持するように輪郭が形成されたシャンクを示し、さらに、図１５（ｂ）がこの実施形態の靴のインソール構成部品の、革で覆われかつ詰め物をされた上張りを示す。
【００２４】
本明細書ですでに説明した実施形態の各々では、ジッパーを使用しており、かつ本明細書で説明した第２の実施形態でもベルクロタブ（Ｖｅｌｃｒｏ  ｔａｂ）を組み入れているが、靴のかかと部分のつま先部分に対する着脱は、様々な固定手段によって容易に行うことができることは理解されるであろう。そのような固定手段は、１つまたは複数のジッパー、（Ｖｅｌｃｒｏ（商標）として知られる）マジックテープ、タブまたはオーバーレイ、スナップボタン、バックル、靴紐、または上記の任意の組合せを含むことができる。当業者に知られている、または当業者に明らかとなる他の固定手段も、本発明の範囲内に組み入れられる。
【００２５】
実施形態に応じて、従来型の履物のソールを変更することが内在することも留意されたい。特に外側ソールは、本明細書ですでに説明した第１および第３の実施形態におけるように２つの異なる部分として、または第２に説明した実施形態におけるように下向きに曲げるまたは折畳むことができる１つの部分として形成できることも留意すべきである。内側ソール（インソール）は、これらの説明された実施形態において、一体的構造のものであり、靴のつま先部分２に取り付けることができる。この一体的構造は、２つの部品で構成される場合よりも、着用者の足をより良好に支持することができる。
【００２６】
本明細書においてすでに説明した方法で構成される外側ソールによって、かつ容易に折畳むまたは柔軟である方法で構成される内側ソールによって、着用者は、支持されながら、従来型の靴よりも容易に自分の足首を前方に曲げることができる。このことは、特定の用途において、例えば特定のスポーツにおいてその性能が改善されてきた。すなわち、ソールが実質的にヒンジで連結されるため、早く歩く、すなわち走るときに従来型の靴において通常起きるような、かかとが靴から外に出ることはない。
【００２７】
本発明の靴は様々な材料から作ることが可能である。適切な材料には、革、プラスチック、織物、ゴム、合成材料等が含まれる。本発明の靴を作るために使用される材料の種類には制限されるものはない。すなわち、履物を作るために使用される、当業者に知られている全ての適切な材料は、本発明の範囲内に包含される。
【００２８】
本明細書ですでに述べたように、本発明の靴は、従来型の閉鎖式の靴を着用するために必要とされる足を曲げることに通常困難をきたすような、幼児、小児、身体障害者、病人、または足に怪我した人に特に有用である。しかしながら、この靴は、このように肉体的な制限を有するか否かに関わらず、いかなる人によっても簡便に用いることができる。また、この靴は、本発明の靴の設計／特徴に内在する柔軟性を必要とするスポーツ愛好家が使用することもできる。
【００２９】
したがって、本発明の靴は、従来型の閉鎖式の靴のようにより小さな開口部を保持しつつ良好な足首支持を提供するが、着用者の足に靴を挿入するまたは足を靴から取り出すために、捻る、回転させるまたはその他の方法で力を加えることなく、容易に取り付けられる利点を有する。本発明の靴は、必要とされる足首支持を有する適切な靴を着用することが困難な人々に対して、そのような足首支持を提供して靴の着用を可能にする。
【００３０】
本発明の靴は、当業者に周知の通例の目的を達成するために、従来型の靴のように伝統的なアーチサポート、インソールサポートおよびアンクルサポートを組み入れることも可能である。
【００３１】
当業者に対して明らかになる本発明の全ての更なる変更物および修正物は、本明細書ですでに説明した本発明の範囲内に包含される。
【図面の簡単な説明】
【００３２】
【図１】靴の外側から見た本発明による靴の斜視図。
【図２】内側から見た靴の側面斜視図。
【図３】靴の外側から見た、かかと部分が靴のつま先部分に対して部分的に分離され、かつ回転された、図１および２の靴を示す図。
【図４】靴の内側から見た、図３の靴を示す図。
【図５】靴の後ろから見た、図３および４の靴を示す図。
【図６】図１〜５の靴のアッパーおよびミッドソール用の典型的な型紙を示す図。
【図７】本発明による靴の他の実施形態を示す図。
【図８】図７の靴のかかと部分がつま先部分に対して部分的に分離され、かつ回転された状態を示す図。
【図９】図８の靴と同様の靴を示す図であってインソールの位置を示す図。
【図１０】図７〜９の靴のアッパーの型を示す図。
【図１１】靴の外側から見た本発明による靴の別の実施形態を示す図。
【図１２】靴の内側から見た図１１の実施形態の図。
【図１３】図１３（ａ）および図１３（ｂ）に示す、図１１および１２の履物の実施形態の分解図。
【図１４】図１４（ａ）および図１４（ｂ）に示す、図１１〜１３の靴の型紙の図。
【図１５】図１５（ａ）および図１５（ｂ）に示す、図１１〜１４の靴の構成部品の型紙の図。
【図１】
2009516535.tif 000003
【図２】
2009516535.tif 000004
【図３】
2009516535.tif 000005
【図４】
2009516535.tif 000006
【図５】
2009516535.tif 000007
【図６】
2009516535.tif 000008
【図７】
2009516535.tif 000009
【図８】
2009516535.tif 000010
【図９】
2009516535.tif 000011
【図１０】
2009516535.tif 000012
【図１１】
2009516535.tif 000013
【図１２】
2009516535.tif 000014
【図１３】
2009516535.tif 000015
【図１４】
2009516535.tif 000016
【図１５】
2009516535.tif 000017
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
実質的に柔軟性のあるアッパーおよび実質的に硬質なソールを有する靴であって、該靴は、
前方ソール部分および前方アッパー部分（バンプ）を含むつま先部分と、
後方ソール部分および後方アッパー部分（カウンター）を含むかかと部分と、
前記靴の前方ソール部分および後方ソール部分の両方を覆う一体構造のインソールと、
前記かかと部分を前記つま先部分に対して取り外し可能に装着するための分離可能な固定手段とを含み、
前記固定手段を分離させる工程と、
前記インソールを靴のつま先部分内に保持しながら、後方ソール部分が靴の前方ソール部分に対してずれて移動するように、つま先部分に対してかかと部分を捻る、すなわち移動させる工程と、
前記インソール上に着用者の足を配置するために、着用者のつま先を後方位置から直接つま先部分内に滑り込ませる工程と、
前記靴のかかと部分を、着用者のかかとに沿って、前記つま先部分と整合するように戻す工程と、
前記固定手段を固定する工程とによって、使用時に前記靴を着用者の足に装着可能であることを特徴とする靴。
【請求項２】
前記かかと部分が前記つま先部分から完全に分離可能である、請求項１に記載の靴。
【請求項３】
前記かかと部分が前記靴の長手方向から実質的に垂直に延びる平面に対して交差する方向に回転させることができるように、前記つま先部分から部分的に分離される、請求項１に記載の靴。
【請求項４】
前記かかと部分が、前記靴の長手方向から実質的に水平に延びる平面に対して交差する方向に回転させることができるように、前記つま先部分から部分的に分離される、請求項１に記載の靴。
【請求項５】
前記かかと部分が、ジッパー、（Ｖｅｌｃｒｏ（商標）として知られる）マジックテープ式固定手段、タブ、オーバーレイ、スナップボタン、バックルおよび靴紐を含むがこれらに限定されない分離可能な固定具の任意の１つまたは組合せを用いて、前記つま先部分から少なくとも部分的に分離される、請求項１乃至４のいずれか１項に記載の靴。
【請求項６】
前記靴が、革、プラスチック、織物、ゴム、および合成材料を含むがこれらに限定されない材料の組合せの任意の一つから構成される、請求項１乃至５のいずれか１項に記載の靴。
【請求項７】
前記靴が、幼児、小児、身体障害者を含むがそのような人に限定されない用途の１つまたは組合せに使用される、請求項１乃至６のいずれか１項に記載の靴。
【請求項８】
前記靴が、アーチサポート、インソールサポートおよびアンクルサポートの任意の１つまたは組合せを含む、請求項１乃至７のいずれか１項に記載の靴。
【請求項９】
靴を着用者の足に装着する方法であって、該靴は、
前方ソール部分および前方アッパー部分（バンプ）を含むつま先部分と、
後方ソール部分および後方アッパー部分（カウンター）を含むかかと部分と、
前記靴の前方ソール部分および後方ソール部分の両方を覆う一体構造のインソールと、
前記かかと部分を前記つま先部分に対して取り外し可能に装着するための分離可能な固定手段とを含み、
前記方法は、
固定装置を分離させる工程と、
前記インソールを靴のつま先部分内に保持しながら、後方ソール部分が該靴の前方ソール部分に対してずれて移動するように、つま先部分に対してかかと部分を捻る、すなわち移動させる工程と、
前記インソール上に着用者の足を配置するために、着用者のつま先を後方位置から直接つま先部分内に滑り込ませる工程と、
前記靴のかかと部分を、着用者のかかとに沿って、前記つま先部分と整合するように戻す工程と、
前記固定手段を固定する工程とを含む方法。
【請求項１０】
前記捻る工程において、前記かかと部分が前記つま先部分に対して横向きまたは下向きのいずれかに、または両方向に捻られる、請求項９に記載の方法。
【請求項１１】
靴を着用者の足から脱がせる方法であって、該靴は、
前方ソール部分および前方アッパー部分（バンプ）を含むつま先部分と、
後方ソール部分および後方アッパー部分（カウンター）を含むかかと部分と、
前記靴の前方ソール部分および後方ソール部分の両方を覆う一体構造のインソールと、
前記かかと部分を前記つま先部分に対して取り外し可能に装着するための分離可能な固定手段とを含み、
前記方法は、
固定装置を分離させる工程と、
前記インソールを前記靴のつま先部分内に保持しながら、後方ソール部分が該靴の前方ソール部分に対してずれて移動するように、つま先部分に対してかかと部分を捻る、すなわち移動させる工程と、
前記インソール上から着用者の足を移動させるために、着用者のつま先を後方方向に直接前記つま先部分から滑り出させる工程とを含む方法。
【手続補正２】
【補正対象書類名】明細書
【補正対象項目名】全文
【補正方法】変更
【補正の内容】
【発明の詳細な説明】
【技術分野】
【０００１】
本発明は履物に関し、詳細には、着用者の足に対して履物を容易に着脱することができるように、かかと部分（ｈｅｅｌ  ｓｅｃｔｉｏｎ）が少なくとも部分的につま先部分（ｔｏｅ  ｓｅｃｔｉｏｎ）から分離される、閉鎖式履物に関する。
【背景技術】
【０００２】
一般に履物（ｆｏｏｔｗｅａｒ）は、サンダル式または閉鎖式とされている。従来型のサンダル式の履物は通常、サンダルを使用者の足に対して保持するために、後方に取り付けられるストラップを有する。そのようなサンダル式の履物は、閉鎖式履物よりも容易に脱ぎ履きすることができる。
【０００３】
閉鎖式の履物は、履物の増加した高さおよびより小さな足用開口部を有し、そのようなスナッグフィット（ｓｎｕｇ  ｆｉｔ）により、足首およびかかとに対してより良好な支持をもたらす。しかしながら、閉鎖式の履物は一般に、着用者の足に装着されるとき、足用開口部が着用者の足より小さいことを特徴とする。着用者の足に対して履物を着脱させるために、固定具（ｆａｓｔｅｎｉｎｇ  ｄｅｖｉｃｅ）が必要とされ、閉鎖式の履物を装着または脱がせるときにその固定具を外す。そのような固定具は、より伝統的には靴紐またはバックルやジッパーであるが、今日では、（Ｖｅｌｃｒｏ（商標）として知られている）マジックテープ（登録商標）式固定手段を備えていることが多い。
【０００４】
このような閉鎖式履物を装着するためには、この固定具を外されなければならない。通常、最初につま先を履物内に向け足首を捻って（ｔｗｉｓｔ）履物内に足を導き、次いで、再びかかとを捻って足を向けた位置から戻して、かかとを履物のかかと部分内へ挿入する。この順序は、かかと部分と靴固有部分（靴の前方またはつま先部分）との間の角度を上手く処理するために必要である。つま先とかかとの両方が履物内に位置決めされた後で、固定手段を固定することができる。同様に、履物を脱ぐ場合はこの手順を逆に行う。
【０００５】
多くの人がこの作業を容易に行うことができるが、このような閉鎖式の履物を履いたり脱いだりするのに困難を伴う人々もいる。幼児、小児、体が不自由な人、すなわち身体障害者は、かかとを回転させること、つま先を向けること、および履物が適切に嵌合されるのを確実にするために、つま先およびかかと部分に適切な圧力を加えることができず、あるいはどのようにそれらを行うべきかを知らないため、このような作業を行うためには一般に助勢を必要とする。
【０００６】
したがって、履物の様々な部分を少なくとも部分的に分離させることができ、それによって着用者の足に通常の回転および力、すなわち圧力を加えることを必要としないで、より使い勝手よく着脱できるような、他の履物、すなわち改善された履物が求められている。
【発明の開示】
【発明が解決しようとする課題】
【０００７】
本発明は、上記した懸案を鑑みてなされたものである。
【課題を解決するための手段】
【０００８】
本発明は、従来型の閉鎖式履物の欠点を克服する履物を提供することを目的とする。
本明細書を通して、「靴（ｓｈｏｅ）」という語は、サンダル式ではない、閉鎖式のいかなる種類の履物も包含するものと解釈すべきである。すなわち、靴には、ブーツ、ランニングシューズおよび任意の同様な種類の履物が含まれると解釈すべきである。同様に、閉鎖式の履物という語が使用されるとき、このような履物は、つま先またはかかと全体を包み込まないで部分的に開放している場合もあり、履物から切り取られた穴、スリット等の模様を有する場合もあるが、サンダル式履物として分類されない履物を包含すると見なされるべきである。
【０００９】
本発明はつま先部分およびかかと部分を有する靴を提供し、かかと部分は少なくとも部分的につま先部分から分離可能である。
１つの広い形態において、本発明は実質的に柔軟性のあるアッパー（ｕｐｐｅｒ）および実質的に硬質なソール（ｓｏｌｅ）を有する靴を提供し、該靴は、
前方ソール部分および前方アッパー部分（バンプ（ｖａｍｐ））を含むつま先部分と、
後方ソール部分および後方アッパー部分（カウンター（ｃｏｕｎｔｅｒ））を含むかかと部分と、
前記靴の前方ソール部分および後方ソール部分の両方を覆う一体構造のインソールと、
前記かかと部分を前記つま先部分に対して取り外し可能に装着するための分離可能な固定手段とを含み、
前記固定手段を分離させる工程と、
前記インソールを靴のつま先部分内に保持しながら、後方ソール部分が靴の前方ソール部分に対してずれて移動するように、つま先部分に対してかかと部分を捻る、すなわち移動させる工程と、
前記インソール上に着用者の足を配置するために、着用者のつま先を後方位置から直接つま先部分内に滑り込ませる工程と、
前記靴のかかと部分を、着用者のかかとに沿って、前記つま先部分と整合するように戻す工程と、
前記固定手段を固定する工程とによって、使用時に前記靴を着用者の足に装着させることができる。
前記かかと部分が、前記つま先部分から全体的に分離可能であることが好ましい。
【００１０】
これに代えて、かかと部分が靴の長手方向から実質的に垂直に延びる平面に対して交差する方向（ｔｒａｎｓｖｅｒｓｅｌｙ）に回転できるように、かかと部分がつま先部分から部分的に分離されることが望ましい。
【００１１】
これに代えて、かかと部分が靴の長手方向から実質的に水平に延びる平面に対して交差する方向に回転できるように、かかと部分がつま先部分から部分的に分離されることが望ましい。
【００１２】
かかと部分は、ジッパー、Ｖｅｌｃｒｏ（マジックテープ式固定手段）、スナップボタン、バックルおよび靴紐を含むがこれらに限定されない分離可能な固定具の任意の１つまたは組合せを用いて、つま先部分から少なくとも部分的に分離されることが望ましい。
【００１３】
また、本発明の靴は、革、プラスチック、織物、ゴム、および合成材料を含むがこれらに限定されない材料の任意の１つの組合せから構成されることが望ましい。
また、本発明の靴は、幼児、小児、身体障害者に対して単独または組合せて使用されるが、そのような用途に限定されるものではない。
【００１４】
さらに、本発明の靴は、アーチサポート（ａｒｃｈ  ｓｕｐｐｏｒｔ）、インソールサポート（ｉｎｓｏｌｅ  ｓｕｐｐｏｒｔ）およびアンクルサポート（ａｎｋｌｅ  ｓｕｐｐｏｒｔ）のうちの任意の１つまたは組合せを含むことが望ましい。
他の広い形態において、本発明は靴を着用者の足に装着する方法を提供し、該靴は、
前方ソール部分および前方アッパー部分（バンプ）を含むつま先部分と、後方ソール部分および後方アッパー部分（カウンター）を含むかかと部分と、
前記靴の前方ソール部分および後方ソール部分の両方を覆う一体構造のインソールと、
前記かかと部分を前記つま先部分に対して取り外し可能に装着するための分離可能な固定手段とを含み、
前記方法は、
固定装置を分離させる工程と、
前記インソールを靴のつま先部分内に保持しながら、後方ソール部分が該靴の前方ソール部分に対してずれて移動するように、つま先部分に対してかかと部分を捻る、すなわち移動させる工程と、
前記インソール上に着用者の足を配置するために、着用者のつま先を後方位置から直接つま先部分内に滑り込ませる工程と、
前記靴のかかと部分を、着用者のかかとに沿って、前記つま先部分と整合するように戻す工程と、
前記固定手段を固定する工程とを含むことを特徴とする。
【００１５】
前記捻る工程において、かかと部分はつま先部分に対して横向きまたは下向きのいずれかに、または両方に捻られることが望ましい。
さらに別の広い形態において、本発明は着用者の足から靴を脱がせる方法を提供し、該靴は、前方ソール部分および前方アッパー部分（バンプ）を含むつま先部分と、
後方ソール部分および後方アッパー部分（カウンター）を含むかかと部分と、
前記靴の前方ソール部分および後方ソール部分の両方を覆う一体構造のインソールと、
前記かかと部分を前記つま先部分に対して取り外し可能に装着するための分離可能な固定手段とを含み、
前記方法は、
固定装置を分離させる工程と、
前記インソールを前記靴のつま先部分内に保持しながら、後方ソール部分が該靴の前方ソール部分に対してずれて移動するように、つま先部分に対してかかと部分を捻る、すなわち移動させる工程と、
前記インソール上から着用者の足を移動させるために、着用者のつま先を後方方向に直接前記つま先部分から滑り出させる工程とを含むことを特徴とする。
【発明を実施するための最良の形態】
【００１６】
本発明は、好適な実施形態に関して添付の図面を参照して説明される、以下の詳細な記述からより完全に理解されるであろう。しかしながら、本発明は、これらの好適な実施形態に限定されるものではない。
【００１７】
まず、履物に関して知られている、かつ、一般に受け入れられている用語を図１６を参照して説明する。
本明細書を通して、「靴」という語は、伝統的な意味で使用され、すなわち、通常足首より下で、足に合うような形状をなし、革または同様な合成材料の柔軟性のあるアッパーと、取り付けられたかかと部分を伴う剛性の高い硬質なソールとを有し、人間の足に対して外側被覆を提供する、歩行や走行等に使用される種類の履物として定義する。
また、本明細書を通し、かつ図１６を参照して、「かかと部分」３は、靴のアッパー部分の「カウンター」１１および「クオーター（ｑｕａｒｔｅｒ）」１２の一部と共に、「本来のかかと（ｈｅｅｌ  ｐｒｏｐｅｒ）」を伴う、または伴わない靴の後方においてソール１０の部分を必然的に含む、靴の後方部分を説明するために使用される。
「カウンター」１２は、かかと１０の上の靴の後部の硬質部分であり、構造化された剛性をもたらし、これによって靴のアッパーを支持して靴に対して一体性を維持する。カウンター１２は足の後部分を支持するため、これにより「靴」と足首を支持しない「サンダル」とを区別する。
「クオーター」１２は、かかと１０上方の、アッパーの後部部分である。
同様に、本明細書を通して、「つま先部分」２は、「バンプ」１４としても知られている、靴の前方アッパー部分と共に、靴の前面においてソール部分１３を含む靴の前方部分を説明するのに使用される。
当業者に知られている、靴のこれらの要素を図１６に示す。
本発明による靴の第１の実施形態を図１〜６に示す。これらの図は、つま先部分２およびかかと部分３を有する符号１によって全体に表される靴を示す。図示されるように、つま先部分２は、この実施形態ではジッパー４として構成される固定手段を使用してかかと部分３に取り付けられている。図１は、靴の外側から見た取り付け位置、すなわちジッパー４が閉じられた状態の靴１を示しており、図２は同じ靴を内側から見た状態を示している。
【００１８】
図３、４および５に示すように、ジッパー４または他の固定手段を取り外すことによって、かかと部分３をつま先部分から部分的に分離させることができる。固定手段４を取り外すと、次いでかかと部分は、図３、４および５に示す位置に、靴の（取り付けられた位置での）長手方向から実質的に垂直に延びる平面から交差する方向に捻り、すなわち回転させることができる。かかと部分３がつま先部分２に対して回転した後、着用者の足を容易につま先部分２内に挿入でき、次いで、着用者の足の後ろを包囲するためにかかと部分３を再び回転させることができる。次に、かかと部分３をつま先部分２に対して再度取り付けるために、固定手段４または他のジッパーを留める。
【００１９】
本実施形態の靴は、幼児、小児、病人または身体障害者の足に困難なく容易に装着させることができ、ジッパー４を容易に留めることができる。これは全て、着用者が自分の足を従来型の閉鎖式の靴に挿入しなければならないときに通常行うような、着用者が身をかがめ、自分の足のつま先、足首または他の部分を捻りかつそれらに圧力を加えるといったことを必要としないで行うことができる。
【００２０】
当業者には、本明細書ですでに説明した実施形態に変更および修正を加えることができることが理解されるであろう。そのような変更および修正は、本明細書において説明する本発明の範囲内であると見なされるべきである。
【００２１】
例えば、代替実施形態が図７〜１０に示され、図８および９に最もよく示されているように、かかと部分３をつま先部分２に対して下向きに回転させることができる。この場合、かかと部分３はジッパー４を外すことによってつま先部分２から部分的に分離される。このかかと部分３は、図８および９に示す位置に、靴の長手方向から実質的に水平に延びる平面に対して交差する方向に回転する。図９は、この靴１が留められた後で、インソール５が必要な支持を依然として確実に提供しながら、この実施形態でインソール５がその位置をどのように維持するかを示す。図１〜６に示す実施形態と同様に、図７および１０の実施形態では、従来型の閉鎖式履物に対するように、着用者が身をかがめ、自分の足のつま先や足首または他の部分を捻りかつそれらに圧力を加えることを必要としないで、本明細書ですでに説明したように着用者の足に装着することができる。
【００２２】
図７〜９の実施形態は、ジッパーに加えて固定手段４の一部をなす固定タブ６も組み込んでいる。
さらに別の実施形態では、このかかと部分は、図１１〜１５に示すような、靴の中央部分の周囲全体に延びるジッパーを組み込むことによって、つま先部分から完全に分離させることもできる。
【００２３】
図１３では、履物を「完全に分離可能な」形態を最もよく示しており、図１３（ａ）がつま先部分２を、図１３（ｂ）がかかと部分３を示す。この図において、ジッパー４または他の固定具が履物の中央部分の周囲全体に延びることが明瞭に示されている。図１４および１５が履物のこの実施形態の詳細を示しており、図１４（ａ）が靴アッパーのつま先部分上のミッドソールの位置を示し、図１４（ｂ）が靴アッパーのかかと部分上のミッドソールの位置を示し、また、図１５（ａ）が靴のインソール構成部品を支持するように輪郭が形成されたシャンクを示し、さらに、図１５（ｂ）がこの実施形態の靴のインソール構成部品の、革で覆われかつ詰め物をされた上張りを示す。
【００２４】
本明細書ですでに説明した実施形態の各々では、ジッパーを使用しており、かつ本明細書で説明した第２の実施形態でもベルクロタブ（Ｖｅｌｃｒｏ  ｔａｂ）を組み入れているが、靴のかかと部分のつま先部分に対する着脱は、様々な固定手段によって容易に行うことができることは理解されるであろう。そのような固定手段は、１つまたは複数のジッパー、（Ｖｅｌｃｒｏ（商標）として知られる）マジックテープ、タブまたはオーバーレイ、スナップボタン、バックル、靴紐、または上記の任意の組合せを含むことができる。当業者に知られている、または当業者に明らかとなる他の固定手段も、本発明の範囲内に組み入れられる。
【００２５】
実施形態に応じて、従来型の履物のソールを変更することが内在することも留意されたい。特に外側ソールは、本明細書ですでに説明した第１および第３の実施形態におけるように２つの異なる部分として、または第２に説明した実施形態におけるように下向きに曲げるまたは折畳むことができる１つの部分として形成できることも留意すべきである。内側ソール（インソール）は、これらの説明された実施形態において、一体的構造のものであり、靴のつま先部分２に取り付けることができる。この一体的構造は、２つの部品で構成される場合よりも、着用者の足をより良好に支持することができる。
【００２６】
本明細書においてすでに説明した方法で構成される外側ソールによって、かつ容易に折畳むまたは柔軟である方法で構成される内側ソールによって、着用者は、支持されながら、従来型の靴よりも容易に自分の足首を前方に曲げることができる。このことは、特定の用途において、例えば特定のスポーツにおいてその性能が改善されてきた。すなわち、ソールが実質的にヒンジで連結されるため、早く歩く、すなわち走るときに従来型の靴において通常起きるような、かかとが靴から外に出ることはない。
【００２７】
本発明の靴は様々な材料から作ることが可能である。適切な材料には、革、プラスチック、織物、ゴム、合成材料等が含まれる。本発明の靴を作るために使用される材料の種類には制限されるものはない。すなわち、履物を作るために使用される、当業者に知られている全ての適切な材料は、本発明の範囲内に包含される。
【００２８】
本明細書ですでに述べたように、本発明の靴は、従来型の閉鎖式の靴を着用するために必要とされる足を曲げることに通常困難をきたすような、幼児、小児、身体障害者、病人、または足に怪我した人に特に有用である。しかしながら、この靴は、このように肉体的な制限を有するか否かに関わらず、いかなる人によっても簡便に用いることができる。また、この靴は、本発明の靴の設計／特徴に内在する柔軟性を必要とするスポーツ愛好家が使用することもできる。
【００２９】
したがって、本発明の靴は、従来型の閉鎖式の靴のようにより小さな開口部を保持しつつ良好な足首支持を提供するが、着用者の足に靴を挿入するまたは足を靴から取り出すために、捻る、回転させるまたはその他の方法で力を加えることなく、容易に取り付けられる利点を有する。本発明の靴は、必要とされる足首支持を有する適切な靴を着用することが困難な人々に対して、そのような足首支持を提供して靴の着用を可能にする。
【００３０】
本発明の靴は、当業者に周知の通例の目的を達成するために、従来型の靴のように伝統的なアーチサポート、インソールサポートおよびアンクルサポートを組み入れることも可能である。
【００３１】
当業者に対して明らかになる本発明の全ての更なる変更物および修正物は、本明細書ですでに説明した本発明の範囲内に包含される。
【図面の簡単な説明】
【００３２】
【図１】靴の外側から見た本発明による靴の斜視図。
【図２】内側から見た靴の側面斜視図。
【図３】靴の外側から見た、かかと部分が靴のつま先部分に対して部分的に分離され、かつ回転された、図１および２の靴を示す図。
【図４】靴の内側から見た、図３の靴を示す図。
【図５】靴の後ろから見た、図３および４の靴を示す図。
【図６】図１〜５の靴のアッパーおよびミッドソール用の典型的な型紙を示す図。
【図７】本発明による靴の他の実施形態を示す図。
【図８】図７の靴のかかと部分がつま先部分に対して部分的に分離され、かつ回転された状態を示す図。
【図９】図８の靴と同様の靴を示す図であってインソールの位置を示す図。
【図１０】図７〜９の靴のアッパーの型を示す図。
【図１１】靴の外側から見た本発明による靴の別の実施形態を示す図。
【図１２】靴の内側から見た図１１の実施形態の図。
【図１３】図１３（ａ）および図１３（ｂ）に示す、図１１および１２の履物の実施形態の分解図。
【図１４】図１４（ａ）および図１４（ｂ）に示す、図１１〜１３の靴の型紙の図。
【図１５】図１５（ａ）および図１５（ｂ）に示す、図１１〜１４の靴の構成部品の型紙の図。
【図１６】様々な靴の構成要素を表示した従来型の靴を示す図。
【手続補正３】
【補正対象書類名】図面
【補正対象項目名】図１６
【補正方法】追加
【補正の内容】
【図１６】
2009516535.tif 000018
【国際調査報告】
2009516535.tif 000019
2009516535.tif 000020
2009516535.tif 000021